(57)【要約】【課題】シール時間を延ばすことなく、ポイントシール部に発生するエア噛みを抑制できるフレキシブル包装体およびフレキシブル包装体の製造方法を提供する。【解決手段】フレキシブル包装体は、第１の側面フィルムおよび第２の側面フィルムの両側端の周縁部においてそれぞれシールされた領域に囲まれ、上下方向に所定の長さ延伸する所定幅の領域において、上端近傍にスリットが形成され、スリットを含む上下左右対称な所定形状の領域であるポイントシール部において、第１の側面フィルムおよび第２の側面フィルムがシールされており、ポイントシール部以外の領域においては、第１の側面フィルムおよび第２の側面フィルムがシールされておらず、ポイントシール部の下方には、気体が注入された気体注入部が形成されており、ポイントシール部は、スリットの左右の各端縁が、ポイントシール部内部に向かって凹む形状を有する。【選択図】図１
2018118776.tif 000002
【特許請求の範囲】
【請求項１】
少なくとも第１の側面フィルムと第２の側面フィルムとを有し、これらの周縁部がシールされており、シールされた前記周縁部に囲まれた部分が収納部となるフレキシブル包装体であって、
前記第１の側面フィルムおよび前記第２の側面フィルムの両側端の周縁部においてそれぞれシールされた領域である２つの側縁部の一方または両方の、前記シールされた領域に囲まれ、前記側縁部に沿った方向である上下方向に所定の長さに延伸する所定幅の領域において、
上端近傍に前記第１の側面フィルムおよび前記第２の側面フィルムの少なくとも一方を貫通するスリットが形成され、
前記スリットを含む上下左右対称な所定形状の領域であるポイントシール部において、前記第１の側面フィルムおよび前記第２の側面フィルムがシールされており、前記ポイントシール部以外の領域においては、前記第１の側面フィルムおよび前記第２の側面フィルムがシールされておらず、
前記ポイントシール部の下方には、気体が注入された気体注入部が形成されており、
前記ポイントシール部は、前記スリットの左右の各端縁が、前記ポイントシール部内部に向かって凹む形状を有する、フレキシブル包装体。
【請求項２】
少なくとも第１の側面フィルムと第２の側面フィルムとを有し、これらの周縁部がシールされており、シールされた前記周縁部に囲まれた部分が収納部となるフレキシブル包装体の製造方法であって、
前記第１の側面フィルムおよび前記第２の側面フィルムの両側端の周縁部においてそれぞれシールされた領域である２つの側縁部の一方または両方の、前記シールされた領域に囲まれ、前記側縁部に沿った方向である上下方向に所定の長さ延伸する所定幅の領域において、前記第１の側面フィルムおよび前記第２の側面フィルムがシールされておらず、
前記所定幅の領域の上端近傍に前記第１の側面フィルムおよび前記第２の側面フィルムの少なくとも一方を貫通するスリットが形成された包装体ブランクを用意し、前記スリットから前記所定幅の領域に気体を注入する工程と、
上下左右対称な所定の形状を有し、左右の各端縁が、対向する端縁に向かって凹む形状を有するシールバーで、前記スリットを覆ってシールし、前記所定幅の領域を密封することにより、気体注入部を形成する工程とを含む、フレキシブル包装体の製造方法。
【発明の詳細な説明】
【技術分野】
【０００１】
本発明は、フレキシブル包装体およびフレキシブル包装袋の製造方法に関する。
【背景技術】
【０００２】
液体、粘体、粉体、固体等の内容物を包装するための包装体として、フィルムを重ね合わせてその周縁部をシールして形成したフレキシブル包装体が知られている。
【０００３】
フレキシブル包装体は、例えば、２枚の側面フィルムの間に２つ折りにした底フィルムを折り目側から挿入し、互いに接するフィルム間の周縁部をシールすることによって製造される。このようなフレキシブル包装体では、底フィルムを広げて２枚の側面フィルムを底部において筒形状とすることにより、フレキシブル包装体を自立させることが可能である。
【０００４】
特許文献１が開示するフレキシブル包装体では、各フィルムがシールされた領域（シール領域）に囲まれて、高さ方向に所定の長さにわたってシールされていない領域（未シール領域）が設けられており、未シール領域には気体が注入された気体注入部（エアバッグ）が形成されている。
【０００５】
このようなフレキシブル包装体では、気体注入部によって、各側面フィルムが気体注入部およびその近傍において折れ曲がりにくくなっている。このため、フレキシブル包装体を自立させる際、フレキシブル包装体全体の形も崩れにくく自立性が保たれやすくなっている。また、フレキシブル包装体を運搬したり内容物を取り出したりする際には、気体注入部の近傍が取っ手として機能するため、この部分をつかむことによって、フレキシブル包装体が持ちやすくなっている。
【先行技術文献】
【特許文献】
【０００６】
【特許文献１】特開２００６−１２３９３１号公報
【発明の概要】
【発明が解決しようとする課題】
【０００７】
このような気体注入部は、例えば、２枚の側面フィルムの少なくとも一方を貫通する切り込み（スリット）を未シール領域の上端近傍に設けて、スリットを介して未シール領域にエアを注入した後、２枚の側面フィルムのスリットを含む領域をポイントシールすることにより形成される。
【０００８】
ポイントシールは、形成時に、十分なシール温度およびシール時間を確保できないと、ポイントシール部に空気を噛みこんだ状態でシールがされるエア噛みが発生するという問題があった。ポイントシール部にエア噛みが発生すると、エア噛み部周辺でシール強度が安定しないため、エア噛み部を起点に発生した側面フィルムの剥離のおそれがあった。ポイントシール部で側面フィルムが剥離した場合には、気体注入部とスリットとが連通して、気体注入部のエアがスリットから時間をかけて漏れるスローリークが発生するおそれがあった。
【０００９】
このような問題を防ぐために、ポイントシール部の形成時に十分なシール温度およびシール時間を確保して、シール強度の安定したポイントシール部を形成する方法が考えられる。しかしながら、シール時間を延ばせば、フレキシブル包装体の生産スピードを上げられないという問題があった。
【００１０】
本発明はこのような課題に鑑みてなされたものであり、シール時間を延ばすことなく、ポイントシール部に発生するエア噛みを抑制できるフレキシブル包装体およびフレキシブル包装体の製造方法を提供することを目的とする。
【課題を解決するための手段】
【００１１】
上記課題を解決するための本発明の一局面は、少なくとも第１の側面フィルムと第２の側面フィルムとを有し、これらの周縁部がシールされており、シールされた周縁部に囲まれた部分が収納部となるフレキシブル包装体であって、第１の側面フィルムおよび第２の側面フィルムの両側端の周縁部においてそれぞれシールされた領域である２つの側縁部の一方または両方の、シールされた領域に囲まれ、側縁部に沿った方向である上下方向に所定の長さに延伸する所定幅の領域において、上端近傍に第１の側面フィルムおよび第２の側面フィルムの少なくとも一方を貫通するスリットが形成され、スリットを含む上下左右対称な所定形状の領域であるポイントシール部において、第１の側面フィルムおよび第２の側面フィルムがシールされており、ポイントシール部以外の領域においては、第１の側面フィルムおよび第２の側面フィルムがシールされておらず、ポイントシール部の下方には、気体が注入された気体注入部が形成されており、ポイントシール部は、スリットの左右の各端縁が、ポイントシール部内部に向かって凹む形状を有する、フレキシブル包装体である。
【００１２】
また、本発明の他の局面は、少なくとも第１の側面フィルムと第２の側面フィルムとを有し、これらの周縁部がシールされており、シールされた周縁部に囲まれた部分が収納部となるフレキシブル包装体の製造方法であって、第１の側面フィルムおよび第２の側面フィルムの両側端の周縁部においてそれぞれシールされた領域である２つの側縁部の一方または両方の、シールされた領域に囲まれ、側縁部に沿った方向である上下方向に所定の長さ延伸する所定幅の領域において、第１の側面フィルムおよび第２の側面フィルムがシールされておらず、所定幅の領域の上端近傍に第１の側面フィルムおよび第２の側面フィルムの少なくとも一方を貫通するスリットが形成された包装体ブランクを用意し、スリットから所定幅の領域に気体を注入する工程と、上下左右対称な所定の形状を有し、左右の各端縁が、対向する端縁に向かって凹む形状を有するシールバーで、スリットを覆ってシールし、所定幅の領域を密封することにより、気体注入部を形成する工程とを含む、フレキシブル包装体の製造方法である。
【発明の効果】
【００１３】
本発明によれば、シール時間を延ばすことなく、ポイントシール部に発生するエア噛みを抑制できるフレキシブル包装体およびフレキシブル包装体の製造方法を提供することができる。
【図面の簡単な説明】
【００１４】
【図１】本発明の一実施形態に係るフレキシブル包装体の平面図
【図２】本発明の一実施形態に係るフレキシブル包装体のポイントシール部の拡大図
【図３】本発明の一実施形態に係るフレキシブル包装体のブランクの平面図
【図４Ａ】実施例に係るフレキシブル包装体のポイントシール部の拡大図
【図４Ｂ】実施例に係るフレキシブル包装体のポイントシール部の拡大図
【図４Ｃ】比較例に係るフレキシブル包装体のポイントシール部の拡大図
【図４Ｄ】比較例に係るフレキシブル包装体のポイントシール部の拡大図
【発明を実施するための形態】
【００１５】
（フレキシブル包装袋の構造）
図１は、本発明の一実施形態に係るフレキシブル包装体１００の内容物充填後の状態を示す平面図であり、図２は、図１のＡ部（ポイントシール部周辺）の拡大図である。尚、図において、重なり合ったフィルムがシールされているシール領域をハッチングによって特定している。
【００１６】
フレキシブル包装体１００は、第１の側面フィルム１０１と、第２の側面フィルム１０２と、これらの間に２つ折りにして挟み込まれた底フィルム１０３とを備える。第１の側面フィルム１０１と、２つ折りにした底フィルム１０３と、第２の側面フィルム１０２とは、この順に重ね合わされ、第１の側面フィルム１０１および第２の側面フィルム１０２の周縁部をシールすることによって、内容物を収納するための空間である収納部１０５が形成されている。フレキシブル包装体１００では、収納部１０５に内容物を充填することによって、内容物１０５の重みで底フィルム１０３が広がり、これによって、第１の側面フィルム１０１の底部と第２の側面フィルム１０２との底部とが筒形状となる。したがって、収納部１０５に内容物を充填した状態で、底フィルム１０３側を下にして、フレキシブル包装体１００を自立させることが可能である。このような自立可能なフレキシブル包装体１００は、スタンディングフレキシブル包装体とも称される。
【００１７】
第１の側面フィルム１０１および第２の側面フィルム１０２の周縁部には、第１の側面フィルム１０１および第２の側面フィルム１０２が互いにシールされて形成されたシール領域に囲まれるように、未シール領域１０６が設けられている。未シール領域１０６は、フレキシブル包装体１００の側縁部１０８に沿った方向である上下方向（図１の紙面上下方向）に設けられ、上下方向に所定の長さにわたって、第１の側面フィルム１０１および第２の側面フィルム１０２が互いにシールされていない領域である。未シール領域１０６には、気体を注入して密封することによって、気体注入部１０７が形成される。未シール領域１０６において第１の側面フィルム１０１および第２の側面フィルム１０２は、例えば、筒形状に膨らんでいる。未シール領域１０６に注入される気体は、特に限定されず、空気、窒素、二酸化炭素、希ガス（ヘリウム、アルゴン等）等を利用できる。
【００１８】
未シール領域１０６の上端部近傍には、未シール領域１０６の内部に気体を注入するため、第１の側面フィルム１０１を貫通する２つの切れ込みを組み合せて＋（プラス）形状としたスリット１１１が形成されている。スリット１１１は、第１の側面フィルム１０１または第２の側面フィルム１０２のいずれか一方を貫通するように形成しても良いし、第１の側面フィルム１０１および第２の側面フィルム１０２の両方を貫通するように形成しても良い。また、スリット１１１の形状は限定されず、未シール領域１０６に気体を注入できる形状である限り任意でよく、例えば、左右方向に延びる１つの直線形状の切り込みや、上下方向に延びる１つの直線形状の切り込みや、右上方向および左上方向に延びる２つの直線を含むＸ（エックス）形状の切り込みや、各々が互いに重なりあう３つ直線を含むアスタリスク形状の切り込みや、円弧形状の切り込みや、中空丸型の孔でもよい。
【００１９】
スリット１１１を含む所定形状の領域には、第１の側面フィルム１０１および第２の側面フィルム１０２が互いにシールされて形成されたポイントシール部１１２が設けられている。気体の注入された未シール領域１０６のうち、スリット１１１含む所定形状の領域をシールしてポイントシール部１１２を形成することで、未シール領域１０６を密封し、気体注入部１０７を形成することができる。
【００２０】
図２の拡大図に示すように、ポイントシール部１１２は上下左右対称の形状である。また、ポイントシール部１１２のスリット１１１の左右の各端縁はポイントシール部１１２内部に向かって凹む形状を有する。ポイントシール部１１２の左右の各端縁は、それぞれポイントシール部１１２内部に向かう矩形の凹みを２つずつ備える。２つの凹みは左右の各端縁において、上下方向に並んで形成されている。尚、凹み形状は、ポイントシール部１１２内部に向かって凹む形状であれば矩形に限定されず、例えば、複数の直線の組み合わせや、円弧、楕円弧、放物線、双曲線等の曲線や、これらを組み合わせた形状を採用できる。
【００２１】
更に、フレキシブル包装体１００では、第１の側面フィルム１０１および第２の側面フィルム１０２の上部の周縁部に、内容物を取り出すためのスパウト１０４がこれらのフィルム１０１、１０２に挟まれてシールされている。
【００２２】
第１の側面フィルム１０１および第２の側面フィルム１０２の材質は特に限定されず、例えば、最内面にシーラント層を含む多層フィルムを使用することができる。第１の側面フィルム１０１および第２の側面フィルム１０２は、フレキシブル包装体１００の用途に応じて、樹脂層、金属箔層、金属や無機酸化物の蒸着層等を含む。
【００２３】
（フレキシブル包装袋の製造方法）
ここで、本実施形態に係るフレキシブル包装体１００の製造方法を説明する。
【００２４】
まず、シーラント層を有する第１の側面フィルム１０１および第２の側面フィルム１０２をそれぞれのシーラント層が対向するように配置する。
【００２５】
次に、シーラント層を有する底フィルム１０３をシーラント層が外側となるように２つ折りにし、折り目部分が第１の側面フィルム１０１と第２の側面フィルム１０２の内側となるように、２つ折りにした底フィルム１０３を第１の側面フィルム１０１と第２の側面フィルム１０２の間に挿入する。
【００２６】
次に、第１の側面フィルム１０１および第２の側面フィルム１０２の周縁部のうち、未シール領域１０６と、スパウト１０４を取り付けるための領域と、内容物充填用の開口部となる領域とを除く部分をヒートシールする。これにより、底フィルム１０３が挿入された部分では、第１の側面フィルム１０１と底フィルム１０３とがシールされると共に、第２の側面フィルム１０２と底フィルム１０３とがシールされる。また、底フィルム１０３が挿入されていない部分では、シールしない領域（すなわち、未シール領域１０６となる領域と、スパウト１０４をシールする領域と、内容物充填用の開口部となる領域）を除いて、第１の側面フィルム１０１および第２の側面フィルム１０２がシールされる。
【００２７】
未シール領域１０６の上端部近傍には、このヒートシールと同時に、あるいは、ヒートシールの前後いずれかに、第１の側面フィルム１０１および第２の側面フィルム１０２の一方または両方に気体注入用のスリット１１１を形成する。また、ヒートシールと同時に、あるいは、ヒートシールの前後いずれかに、第１の側面フィルム１０１と第２の側面フィルム１０２と底フィルム１０３の周縁部を裁断することによって、フレキシブル包装体１００が所望の平面形状に成形される。
【００２８】
次に、スパウト１０４の取り付け領域において、第１の側面フィルム１０１と第２の側面フィルム１０２との間に、別途成形されたスパウト１０４を挟んで、第１の側面フィルム１０１および第２の側面フィルム１０２とスパウト１０４との重なり部分をヒートシールする。尚、スパウト１０４の取り付けは、第１の側面フィルム１０１と第２の側面フィルム１０２と底フィルム１０３とのヒートシールと同時に行ってもよい。以上の工程を経て、図３に示されるフレキシブル包装体のブランク１２０が製造される。
【００２９】
次に、未シール領域１０６に形成されたスリット１１１を通じて、未シール領域１０６の内部に気体を注入する。気体の注入後、未シール領域１０６のうち、スリット１１１より底部側に位置する部分をクリップすることにより、未シール領域１０６を膨らませた状態で仮封止する。
【００３０】
続いて、未シール領域１０６のうち、スリット１１１含む所定形状の領域を、ポイントシール部１１２の形状に対応する押圧面を備えるシールバーを用いてヒートシールすることで、第１の側面フィルム１０１と第２の側面フィルム１０２とを溶着させてポイントシール部１１２を形成する。ポイントシール部１１２によって、未シール領域１０６を密封し、気体注入部１０７を形成する。シールバーの押圧面の形状は、ポイントシール部１１２と同様に、上下左右対称であり、左右の各端縁が、対向する端縁に向かって凹んだ形状を有する。
【００３１】
その後、内容物充填用の開口部（図３に示すブランク１２０の上部）から内容物を充填し、当該開口部をヒートシールすることによって、図１に示す内容物充填後のフレキシブル包装体１００が製造される。
【００３２】
（ポイントシール部の機能）
ポイントシール部１１２は、スリット１１１の左右の各端縁が、ポイントシール部１１２内部に向かって凹む形状を有する。凹み形状はシールされていない領域である。このため、ポイントシール時に側面フィルム１０１、１０２間にエア噛みが発生すると、発生したエア１１３（気泡）は、図２に矢印で示すように、凹み形状へ逃げることができる。したがって、ポイントシール部１１２は、ポイントシール時に発生したエア１１３が残ることを防いで、エア噛みおよびこれに伴うスローリークを抑制することができる。
【００３３】
また、凹み形状を有するポイントシール部１１２は、各端縁を直線状に形成した矩形状のポイントシール部等と比較して面積を小さくできる。このため、ポイントシール部１１２を形成する際に側面フィルム１０１、１０２に加わるシール圧を高くすることができる。したがって、ポイントシール部１１２を短時間で形成することが可能となる。また、シール圧を高くできるため、広いシール温度範囲でのポイントシール部１１２の形成が可能となる。さらに、シール圧が低いことにより発生する、ポイントシール部１１２のエア噛みやシワの発生等のシール形状の不良を抑制することができる。
【００３４】
また、ポイントシール部１１２は上下左右対称の押圧面を有するシールバーにより形成できる。このため、ヒートシール時における、ポイントシール部１１２のシール圧の不均衡を防ぐことができ、シール圧が低いことにより発生する、ポイントシール部１１２のエア噛みやシール形状の不良を抑制することができる。
【００３５】
（変形例）
ポイントシール部１１２は、上下左右対称な領域を有し、スリット１１１の左右の各端縁が、ポイントシール部１１２内部に向かって凹む形状を有するものであれば、その形状は限定されない。
【００３６】
また、上記の実施形態では、内容物を取り出しやすくするためのスパウト１０４が設けられた構成を例示したが、スパウト１０４はなくてもよい。
【００３７】
また、上記の実施形態では、第１の側面フィルム１０１と第２の側面フィルム１０２の間に２つ折りにした底フィルム１０３をシールして自立可能なスタンディングフレキシブル包装体１００を例示したが、底フィルム１０３を用いず、第１の側面フィルム１０１と第２の側面フィルム１０２の周囲をシールしたフレキシブル包装体としてもよい。底フィルム１０３のないフレキシブル包装体は自立性を有しないものの、壁面にフレキシブル包装体を立て掛けるように配置した場合に、フレキシブル包装体の自立性を保持することができる。
【００３８】
更に、上記の実施形態では、フレキシブル包装体に１つの気体注入部１０７を設けた例を説明したが、フレキシブル包装体１００の形態保持性を維持できる限り、気体注入部１０７の数および形状は任意に設定できる。
【実施例】
【００３９】
以下、本発明を具体的に実施した実施例を説明する。
【００４０】
実施例１、２および比較例１、２として、図４Ａ〜図４Ｄに示した形状のポイントシール部を備えるフレキシブル包装体を作製した。フレキシブル包装体の幅（図１のＷに相当）を２３０ｍｍとし、高さ（図１のＨに相当）を３５０ｍｍとした。２枚の側面フィルムおよび底フィルムには、フレキシブル包装袋の外方から内方の順に、ＰＥＴを基材とした透明蒸着バリアフィルム（１２μｍ）／ナイロン（２５μｍ）／ＬＬＤＰＥ（１８０μｍ）を積層したものを用いた。
【００４１】
フレキシブル包装体ブランクを作製後、各ポイントシール部の形状ごとに、シール温度（１４０℃〜２００℃）と、１分当たりのショット数（２０ＳＰＭ（Ｓｈｏｔｓ  Ｐｅｒ  Ｍｉｎｕｔｅｓ）と３０ＳＰＭ）とを変えて、各１０個のフレキシブル包装体を製作した。
【００４２】
作製したフレキシブル包装体について、フレキシブル包装体の製作直後に、ポイントシール部におけるエア噛みの発生の有無およびシール形状の良否を目視で確認する評価を行った。また、フレキシブル包装体の製作から一週間後に、気体注入部におけるエアの反発力を測定してスローリーク発生の有無を確認する評価を行った。評価結果を表１に示す。表１では、エア噛みおよびスローリークのそれぞれについては、発生しなかった場合には「＋」を付し、発生した場合には「−」を付して示す。また、シール形状については、正常なシール形状となった場合には「＋」を付し、シワ等が発生して正常なシール形状とならなかった場合には「−」を付して示す。
【００４３】
【表１】
2018118776.tif 000003
【００４４】
実施例１、２では、ショット数が２０ＳＰＭ、３０ＳＰＭの場合ともに、１４０℃以上２００℃以下のシール温度でエア噛みおよびスローリークは発生しなかった。これに対して、比較例１、２では、ショット数が２０ＳＰＭ（シール時間が長い）の場合であっても、シール後退およびスローリークの発生するシール温度の範囲は、最大で１４０℃以上１８０℃以下であり、実施例１、２よりも狭かった。
【００４５】
この結果から、ポイントシール部１１２は、スリット１１１の左右の各端縁が、ポイントシール部１１２の内部に向かって凹む形状を有することで、シール時間を延ばすことなく、広いシール温度範囲でエア噛みおよびスローリークの発生を抑制できることが確認された。
【００４６】
また、実施例１では、ショット数が３０ＳＰＭ（シール時間が短い）の場合、シール温度が１６０℃以上１９０℃以下の範囲で正常なシール形状となった。これに対して、比較例１、２では、ショット数が２０ＳＰＭの場合でも、正常なシール形状となるシール温度の範囲は、１５０℃以上１７０℃以下の範囲で、実施例１よりも狭かった。
【００４７】
この結果から、ポイントシール部は、面積を小さくし、形状を上下左右対象とすることにより、シール時間を延ばすことなく、広いシール温度範囲で正常なシール形状を形成できることが確認された。
【００４８】
以上説明したように、本発明では、ポイントシール部１１２スリット１１１の左右の各端縁が、ポイントシール部１１２内部に向かって凹む形状を有するため、ポイントシール時に発生したエアは、凹み形状へ逃げることができる。したがって、ポイントシール部１１２は、エア噛みを防いで、これに伴うスローリークを抑制することができる。
【００４９】
また、凹み形状を有するポイントシール部１１２は、面積を小さくできるため、ポイントシール部１１２を形成する際のシール圧を高くすることができる。したがって、ポイントシール部１１２を短時間で形成することが可能となり、ポイントシール部１１２のショット数を増やすことができる。また、シール圧を高くできるため、広いシール温度範囲でのポイントシール部１１２の形成が可能となる。さらに、シール圧が低いことにより発生する、ポイントシール部１１２のエア噛みやシワの発生を抑制することができる。
【００５０】
また、ポイントシール部１１２は上下左右対称の形状であるため、ヒートシール時における、ポイントシール部１１２のシール圧の不均衡を防ぐことができ、シール圧が低いことにより発生する、ポイントシール部１１２のエア噛みやシワの発生を抑制することができる。
【産業上の利用可能性】
【００５１】
本発明は、気体注入部を設けたフレキシブル包装体等のフレキシブル包装体に利用できる。
【符号の説明】
【００５２】
１００    フレキシブル包装体
１０１    第１の側面フィルム
１０２    第２の側面フィルム
１０３    底フィルム
１０４    スパウト
１０５    収納部
１０６    未シール領域
１０７    気体注入部
１０８    側縁部
１１１    スリット
１１２    ポイントシール
１１３    エア噛み
１２０    ブランク
【図１】
2018118776.tif 000004
【図２】
2018118776.tif 000005
【図３】
2018118776.tif 000006
【図４Ａ】
2018118776.tif 000007
【図４Ｂ】
2018118776.tif 000008
【図４Ｃ】
2018118776.tif 000009
【図４Ｄ】
2018118776.tif 000010